(57)【特許請求の範囲】
【請求項１】
表示パネルの光源をなす蛍光管に所定周波数の駆動電圧を印加する駆動装置において、
２次側巻線が前記蛍光管に接続された変圧器と、
該変圧器の１次側巻線に所定周波数の交流電圧を印加するインバータ回路と、
該インバータ回路を制御するパルス幅変調された制御信号を出力する制御信号出力手段と、
前記インバータ回路と前記１次側巻線との間、及び／又は、前記２次側巻線と前記蛍光管との間に配され、所定周波数の電圧を透過するフィルタ手段と
を備え、
前記制御信号出力手段は、パルス幅に係る複数のデータで構成されたデータ列が予め記憶された記憶手段と、該記憶手段に記憶されたデータ列を基に前記制御信号を生成する制御信号生成手段と、前記表示パネルの表示に係る垂直同期信号に同期して、該垂直同期信号より高周波の第１基準信号を生成する第１基準信号生成手段と、前記第１基準信号を基に、前記第１基準信号より低周波の第２基準信号を生成する第２基準信号生成手段とを有し、前記第２基準信号に応じて前記記憶手段からデータ列を読み出し、前記第１基準信号に応じて制御信号を生成し、前記表示パネルの表示に係る垂直同期信号と同期的に前記制御信号を出力するようにしてあること
を特徴とする駆動装置。
【請求項２】
前記蛍光管の管電流を検出する検出手段を更に備え、
前記記憶手段には複数種のデータ列が記憶してあり、
前記制御信号出力手段は、前記検出手段の検出結果に応じたデータ列を前記記憶手段から読み出して、該データ列を基に前記制御信号生成手段が前記制御信号を生成するようにしてあること
を特徴とする請求項１に記載の駆動装置。
【請求項３】
請求項１又は請求項２に記載の駆動装置と、
該駆動装置により所定周波数の駆動電圧が印加される蛍光管と、
該蛍光管が発する光が照射されて映像を表示する表示パネルと
を備えることを特徴とする表示装置。
【発明の詳細な説明】
【技術分野】
【０００１】
本発明は、表示パネルへ光を照射する光源、所謂バックライトをなす蛍光管に、所定周波数の正弦波などの駆動電圧を印加する駆動装置、及びこの駆動装置を用いた表示装置に関する。
【背景技術】
【０００２】
従来、液晶パネルに映像を表示する液晶表示装置が広く普及している。液晶表示装置は、ＰＣ（パーソナルコンピュータ）若しくは再生装置等の外部装置から与えられる映像信号、又は内蔵されたチューナにて受信された映像信号等に応じて液晶パネルを駆動することにより、映像を表示するようにしてある。ただし、液晶パネル自身は発光機能を有していないため、液晶表示装置には液晶パネルの背面から光を照射するバックライトとして、ＣＣＦＬ（Cold Cathode Fluorescent Lamp、冷陰極管）などの蛍光管と、この蛍光管に駆動電圧を印加する駆動回路とを搭載する必要がある。バックライトとして利用される蛍光管は、正弦波の交流電圧で駆動する必要があり、種々の駆動回路が提案されている。
【０００３】
図９は、従来の駆動回路の一例を示す回路図である。図において１００は、図示しない液晶パネルへ光を照射する蛍光管である。蛍光管１００に正弦波の駆動電圧を印加する駆動回路は、昇圧用の変圧器Ｔ１００、共振用のコイルＬ１０１及びコンデンサＣ１０１、スイッチング用のＮＰＮ型のトランジスタＱ１０１及びＱ１０２、抵抗Ｒ１０１及びＲ１０２、並びに電源Ｅ１０１等で構成される。変圧器Ｔ１００の１次側巻線Ｔ１１１の両端にはコンデンサＣ１０１が並列に接続してあり、１次側巻線Ｔ１１１の中点はコイルＬ１０１を介して電源Ｅ１０１の正側端子に接続してある。
【０００４】
コンデンサＣ１０１の一側はトランジスタＱ１０１のコレクタに接続してあり、他側はトランジスタＱ１０２のコレクタに接続してあると共に、トランジスタＱ１０１及びＱ１０２のエミッタは共に接地電位に接続してある。トランジスタＱ１０１のベースは、抵抗Ｒ１０１を介して電源Ｅ１０１の正側端子に接続してあると共に、変圧器Ｔ１００の他の１次側巻線Ｔ１１２の一端に接続してある。同様に、トランジスタＱ１０２のベースは、抵抗Ｒ１０２を介して電源Ｅ１０１の正側端子に接続してあると共に、変圧器Ｔ１００の１次側巻線Ｔ１１２の他端に接続してある。また、変圧器Ｔ１００の２次側巻線Ｔ１２０の一端には蛍光管１００の一端が接続してあり、２次側巻線Ｔ１２０の他端及び蛍光管１００の他端は接地電位に接続してある。
【０００５】
上記構成の駆動回路では、２つのトランジスタＱ１０１及びＱ１０２が交互にオン／オフを繰り返すことによって、変圧器Ｔ１００の１次巻線Ｔ１１１を流れる電流の向きを切り替え、１次巻線Ｔ１１１及びコイルＬ１０１のインダクタンスとコンデンサＣ１０１の容量とを利用した共振回路により正弦波を発生させて変圧器Ｔ１００で昇圧することにより、蛍光管１００を駆動する駆動電圧を生成している。この駆動回路は自励式のインバータ回路であり、駆動効率が悪いという問題があると共に、駆動電圧の周波数が１次側の共振回路により決定されるため周波数制御を行うことができないという問題がある。
【０００６】
図１０は、従来の駆動回路の他の例を示す回路図である。図において２００は蛍光管であり、蛍光管２００を駆動する駆動回路は、昇圧用の変圧器Ｔ２００、共振用のコンデンサＣ２０１、スイッチＳＷ、及び電源Ｅ２０１等で構成される。変圧器Ｔ２００の１次側巻線Ｔ２０１の一端はスイッチＳＷを介して電源Ｅ２０１の正側端子に接続してあり、１次側巻線Ｔ２０１の他端は接地電位に接続してある。また、変圧器Ｔ２００の２次側巻線Ｔ２０２にはコンデンサＣ２０１及び蛍光管２００がそれぞれ並列に接続してある。
【０００７】
上記構成の駆動回路では、スイッチＳＷのオン／オフを繰り返すことにより１次側巻線Ｔ２０１に生じた電圧を変圧器Ｔ２０１にて昇圧し、２次側巻線Ｔ２０２の漏れインダクタンスＬ２０２とコンデンサＣ２０１とによる共振回路により正弦波を発生して蛍光管２００へ印加する。この駆動回路は他励式のインバータ回路であり、図９に示した自励式のインバータ回路と比較して駆動効率が良い。
【０００８】
また、特許文献１においては、制御ＩＣ（Integrated Circuit）が発生した三角波と正弦波発生回路が発生した正弦波とのレベル差からパルス幅変調信号を生成し、このパルス幅変調信号により変圧器の１次側巻線に接続されたスイッチングトランジスタをＰＷＭ（Pulse Width Modulation）駆動し、変圧器の２次側巻線から得られた電圧をパルス幅復調フィルタにより復調して出力する構成の高電圧発生装置が提案されている。この高電圧発生回路は、正弦波発生回路が発生する正弦波の特性を可変することにより、出力電圧の特性を可変制御することができるという利点を有している。また、この高電圧発生装置は、例えば複写機又はレーザビームプリンタ等の高電圧を要する電子機器に好適である。
【０００９】
特許文献２においては、変圧器と、ブリッジ又はプッシュプル構成のスイッチ手段を有する１次側回路と、１対又は２対の相補駆動されるスイッチ手段対の組み合わせを有する２次側回路とを備え、１次側駆動用の第１の信号と、増幅される信号を２状態変調した第２の信号と、第１の信号及び第２の信号を論理回路に通して得られる２次側駆動用の第３信号とを用いてスイッチ手段及びスイッチ手段対を制御し、２状態変調された第２の信号を電力増幅してローパスフィルタを通過させることによって、出力及び電圧源を絶縁することができ、最大出力を適宜に設定することができる絶縁Ｄ級増幅器が提案されている。この絶縁Ｄ級増幅器は、音響信号の増幅器として好適に利用することができ、モータ駆動又は無停電電源装置等に利用することもできる。
【特許文献１】特開平７−２４１０８３号公報
【特許文献２】特開平９−４６１４４号公報
【発明の開示】
【発明が解決しようとする課題】
【００１０】
上述の他励式のインバータ回路（図１０参照）は、蛍光管２００を電力効率良く駆動できることから、現在の液晶表示装置において最も広く用いられる駆動回路である。しかし、近年では液晶表示装置の大型化に伴って蛍光管が大型化する傾向にある。蛍光管が大型化すると、接地電位をなす液晶表示装置の筐体と蛍光管とが近接する面積が増大し、蛍光管と筐体との間の浮遊容量が増大するため、駆動回路による蛍光管の駆動効率が悪化するという問題があった。
【００１１】
また、液晶表示装置の表示品質を悪化させる要因にビートノイズがある。ビートノイズは映像に縞模様状のノイズが発生するものであり、蛍光管が発する電界に液晶パネルが干渉して生じるノイズである。ビートノイズを解消するためには、液晶パネルの表示に係る垂直同期周波数を考慮して蛍光管を駆動する正弦波電圧の周波数を設定する必要がある。図１０に示した駆動回路においては、蛍光管２００に印加される正弦波電圧の周波数は、変圧器Ｔ２００の２次側巻線Ｔ２０２の漏れインダクタンスＬ２０２とコンデンサＣ２０１と図示しない浮遊容量とによる共振回路の共振周波数で決定される。しかし、図１０の駆動回路は、蛍光管の大型化によって不確定な浮遊容量が増大した場合、共振回路の共振周波数を精度よく設定することが困難であるため、ビートノイズの解消が困難であるという問題がある。
【００１２】
また、ビートノイズ対策として２つの蛍光管を逆位相で駆動することによって、蛍光管が発する電界を打ち消す方法がある。しかしながら、この方法では２つの蛍光管の間の浮遊容量が見かけ上で２倍となり、駆動効率をよくするために共振回路の共振周波数を低く設定しなければならない。この結果、駆動回路には変圧器Ｔ２００の２次側に大容量の共振用のコンデンサＣ２０１を用いることとなるため、駆動回路の効率の悪化及びコストの増大を招来し、液晶表示装置のコストの増大を招来するという問題がある。また、共振周波数を低くした場合には、蛍光管の動作限界に達する虞もある。
【００１３】
特許文献１に記載の高電圧発生装置は、主として複写機又はレーザビームプリンタ等の感光ドラムに印加する高電圧を発生することを目的としたものである。よって、この高電圧発生装置を液晶表示装置の蛍光管の駆動に利用したとしても、ビートノイズの発生を抑制することはできず、上述の問題を解決することはできない。同様に、特許文献２に記載の絶縁Ｄ級増幅器は、主として音響信号の増幅器として利用することを目的としたものであり、液晶表示装置の蛍光管の駆動に利用したとしても、ビートノイズの発生を抑制することはできず、上述の問題を解決することはできない。
【００１４】
本発明は、斯かる事情に鑑みてなされたものであって、その目的とするところは、変圧器の２次側巻線に蛍光管を接続し、所定周波数の交流電圧を印加するインバータ回路を１次側巻線に接続し、所定周波数の電圧を透過するフィルタ手段を設けて、表示パネルの表示に係る垂直同期信号と同期的に、パルス幅変調された制御信号を出力してインバータ回路を制御する構成とすることにより、共振回路を用いることなく駆動電圧を生成して蛍光管を駆動することができ、表示パネルの表示に応じた蛍光管の駆動によりビートノイズを抑制することができる駆動装置を提供することにある。
【００１５】
また本発明の他の目的とするところは、変圧器の２次側巻線に蛍光管を接続し、電源からの直流電圧の印加方向を切り替えるスイッチング手段を１次側巻線に接続し、所定周波数の電圧を透過するフィルタ手段を設けて、表示パネルの表示に係る垂直同期信号と同期的に、パルス幅変調された制御信号を出力してスイッチング手段の切り替えを制御する構成とすることにより、共振回路を用いることなく駆動電圧を生成して蛍光管を駆動することができ、表示パネルの表示に応じた蛍光管の駆動によりビートノイズを抑制することができる駆動装置を提供することにある。
【００１６】
また本発明の他の目的とするところは、パルス幅に係る複数のデータで構成されたデータ列を予め記憶しておき、このデータ列を基に制御信号を生成する構成とすることにより、パルス幅変調された制御信号を容易に生成してスイッチング手段による切り替えを制御することができる駆動装置を提供することにある。
【００１７】
また本発明の他の目的とするところは、複数のデータ列を予め記憶しておき、蛍光管の管電流に応じたデータ列を読み出して制御信号を生成する構成とすることにより、蛍光管の状態をフィードバックして容易に駆動電圧を調整することができる駆動装置を提供することにある。
【００１８】
また本発明の他の目的とするところは、表示パネルの垂直同期信号に同期して高周波の第１基準信号を生成し、更に第１基準信号を基に低周波の第２基準信号を生成し、第２基準信号に応じてデータ列を読み出し、読み出したデータ列の各データから第１基準信号に応じて制御信号を生成する構成とすることにより、表示パネルの垂直同期信号に同期した蛍光管の駆動を確実に行うことができる駆動装置を提供することにある。
【００１９】
また本発明の他の目的とするところは、表示パネルの垂直同期信号に同期して正弦波信号を生成し、生成された正弦波信号の特性（振幅、周波数又は波形等）を蛍光管の管電流に応じて調整し、調整した正弦波信号を基にパルス幅変調された制御信号を生成する構成とすることにより、垂直信号に同期し、且つ、蛍光管の状態に応じて調整された駆動電圧を確実に生成して蛍光管を駆動することができる駆動装置を提供することにある。
【００２０】
また本発明の他の目的とするところは、上述の駆動装置を備えて、駆動装置が出力する駆動電圧により蛍光管を駆動し、この蛍光管が発する光により表示パネルに映像を表示する構成とすることにより、大型の表示パネルであっても浮遊容量に影響されることなく、ビートノイズを抑制して映像の表示を行うことができる表示装置を提供することにある。
【課題を解決するための手段】
【００２１】
第１発明に係る駆動装置は、表示パネルの光源をなす蛍光管に所定周波数の駆動電圧を印加する駆動装置において、２次側巻線が前記蛍光管に接続された変圧器と、該変圧器の１次側巻線に所定周波数の交流電圧を印加するインバータ回路と、該インバータ回路を制御するパルス幅変調された制御信号を出力する制御信号出力手段と、前記インバータ回路と前記１次側巻線との間、及び／又は、前記２次側巻線と前記蛍光管との間に配され、所定周波数の電圧を透過するフィルタ手段とを備え、前記制御信号出力手段は、パルス幅に係る複数のデータで構成されたデータ列が予め記憶された記憶手段と、該記憶手段に記憶されたデータ列を基に前記制御信号を生成する制御信号生成手段と、前記表示パネルの垂直同期信号に同期して、該垂直同期信号より高周波の第１基準信号を生成する第１基準信号生成手段と、前記第１基準信号を基に、前記第１基準信号より低周波の第２基準信号を生成する第２基準信号生成手段とを更に有し、前記第２基準信号に応じて前記記憶手段からデータ列を読み出し、前記第１基準信号に応じて前記制御信号生成手段が制御信号を生成し、前記表示パネルの表示に係る垂直同期信号と同期的に前記制御信号を出力するようにしてあることを特徴とする。
【００２２】
本発明においては、変圧器の２次側巻線に蛍光管を接続し、所定周波数の交流電圧を印加するインバータ回路を１次側巻線に接続し、パルス幅変調された制御信号によりインバータ回路を制御して駆動電圧を生成して蛍光管に印加する。変圧器の１次側又は２次側に共振回路を備える必要はない。このため、表示パネル及び蛍光管の大型化により浮遊容量が増大した場合であっても、駆動信号の周波数を精度よく制御することができる。また、インバータ回路を制御する制御信号を、表示パネルの表示に係る垂直同期信号と同期的に生成して出力する。これにより、表示パネルの表示に応じた蛍光管の駆動ができるため、ビートノイズの発生を抑制するように周波数制御して蛍光管を駆動することが可能となる。また、インバータ回路と１次巻線との間、及び／又は、２次巻線と蛍光管との間に、所定周波数の電圧を透過するフィルタ手段を配設する。これにより、インバータ回路が出力する交流電圧から高周波成分を除去し、蛍光管に所望の周波数の正弦波電圧を印加することができる。加えて本発明においては、例えば制御信号の１パルスのデューティ比などのデータを、１周期分又は半周期分等の複数集めてデータ列とし、このデータ列を予めメモリなどに記憶しておく。制御信号を生成する場合には、記憶したデータ列を読み出して波形を形成すればよい。このため、駆動装置にパルス幅変調に必要な正弦波信号及び三角波信号等の発生回路を搭載することなく、制御信号を生成することができる。また、メモリに記憶するデータ列を変更することによって、容易に駆動電圧の周波数及び振幅等を変更することができる。    更に本発明においては、表示パネルの垂直同期信号に同期して、垂直同期信号より高周波の第１基準信号を生成し、更にこの第１基準信号を基に、第１基準信号より低周波の第２基準信号を生成する。記憶されたデータ列の読み出しは第２基準信号により行い、データ列に基づく制御信号の生成は第１基準信号により行う。例えば、制御信号の１周期分のデータをデータ列として記憶しておいた場合、第２基準信号に応じて１周期分のデータを読み出して、第１基準信号に応じて各データから１パルス分の波形を生成する構成とすることができる。第１基準信号の周波数を垂直同期信号の周波数の整数倍とし、第２基準信号の周波数を第１基準信号の整数分の１とすることによって、周波数が垂直同期信号の整数倍の制御信号を生成することができ、垂直同期信号に同期した蛍光管の駆動を行うことができる。
【００２７】
また、第２発明に係る駆動装置は、前記蛍光管の管電流を検出する検出手段を更に備え、前記記憶手段には複数種のデータ列が記憶してあり、前記制御信号出力手段は、前記検出手段の検出結果に応じたデータ列を前記記憶手段から読み出して、該データ列を基に前記制御信号生成手段が前記制御信号を生成するようにしてあることを特徴とする。
【００２８】
本発明においては、例えば異なる周波数のパターン又は異なる振幅のパターン等の複数のデータ列を予めメモリなどに記憶しておく。これにより、読み出すデータ列を変更することによって、駆動電圧の周波数又は振幅等を容易に変更することができる。また、蛍光管の管電流を検出し、検出結果に応じて読み出すデータ列を変更する。これにより、蛍光管の動作状態をフィードバックして駆動電圧を調整することができる。
【００３３】
また、第３発明に係る表示装置は、上述のいずれか１つの駆動装置と、該駆動装置により所定周波数の駆動電圧が印加される蛍光管と、該蛍光管が発する光が照射されて映像を表示する表示パネルとを備えることを特徴とする。
【００３４】
本発明においては、上述の駆動装置を表示装置に搭載して蛍光管の駆動を行い、表示パネルへの映像表示を行う。駆動装置は共振回路を利用するものではないため、大型の表示パネルを備える表示装置であっても浮遊容量に影響されることなく蛍光管の駆動を確実に行うことができる。また、駆動装置は表示パネルの垂直同期信号に応じて蛍光管の駆動を行うため、表示パネルの表示にビートノイズが発生することを抑制することができる。
【発明の効果】
【００３５】
第１発明による場合は、変圧器の２次側巻線に蛍光管を接続し、所定周波数の交流電圧を印加するインバータ回路を１次側巻線に接続し、所定周波数の電圧を透過するフィルタ手段を設けて、パルス幅変調された制御信号によりインバータ回路を制御する構成とすることにより、変圧器の１次側又は２次側に共振回路を備える必要がないため、蛍光管の浮遊容量に影響されることなく蛍光管の駆動を行うことができる。よって、蛍光管の大型化を容易に行うことができ、表示パネルが大型の表示装置を容易に実現することができる。また、表示パネルの表示に係る垂直同期信号と同期的に、インバータ回路を制御する制御信号を生成する構成とすることにより、垂直同期信号に同期した駆動電圧を生成することができ、表示パネルの表示に応じた蛍光管の駆動を行うことができるため、ビートノイズの発生を抑制することができ、表示パネルの表示品質を向上することができる。加えて、パルス幅に係る複数のデータで構成されたデータ列を予めメモリなど記憶しておき、このデータ列を読み出して制御信号を生成する構成とすることにより、パルス幅変調に必要な正弦波信号及び三角波信号等の発生回路を搭載することなく、制御信号を生成することができるため、駆動装置の小型化及び低コスト化を実現することができる。また、メモリに記憶するデータ列を変更することによって、容易に駆動電圧の周波数及び振幅等を変更することができるため、蛍光管の大きさ又は搭載数等が異なる種々の表示装置であっても、データ列を変更するのみで同じ駆動装置を利用することができるため、駆動装置の汎用性を向上することができる。更に、表示パネルの垂直同期信号に同期して高周波の第１基準信号を生成し、更に第１基準信号を基に低周波の第２基準信号を生成し、第２基準信号に応じてデータ列を読み出し、読み出したデータ列の各データから第１基準信号に応じて制御信号を生成する構成とすることにより、例えば第１基準信号の周波数を垂直同期信号の周波数の整数倍とし、第２基準信号の周波数を第１基準信号の整数分の１とすることによって、周波数が垂直同期信号の整数倍の制御信号を生成することができる。よって、垂直同期信号に同期した蛍光管の駆動を行うことができ、ビートノイズの発生を抑制することができるため、表示パネルの表示品質をより確実に向上することができる。
【００３８】
また、第２発明による場合は、複数のデータ列を予め記憶しておき、読み出すデータ列を変更して駆動電圧の周波数又は振幅等を変更する構成とすることにより、駆動電圧の周波数又は振幅等の変更を容易に行うことができるため、例えば表示の明るさの設定変更又は温度変化による蛍光管の特性の変化等に応じた駆動電圧を生成することができる。更に、蛍光管の管電流を検出し、検出結果に応じて読み出すデータ列を変更する構成とすることにより、蛍光管の状態をフィードバックして容易に駆動電圧を調整することができる。よって、蛍光管の特性のバラツキ又は温度変化による蛍光管の特性変化等が生じた場合であっても、適切な駆動電圧で蛍光管を駆動することができるため、表示パネルの表示品質をより確実に向上することができる。
【００４１】
また、第３発明による場合は、上述の駆動装置を表示装置に搭載して蛍光管の駆動を行い、表示パネルへの映像表示を行う構成とすることにより、浮遊容量に影響されることなく蛍光管の駆動を確実に行うことができるため、大型の表示パネルを有する大型の表示装置を容易に実現することができる。また、表示パネルの垂直同期信号に応じて蛍光管の駆動を行うことができるため、表示パネルの表示にビートノイズが発生することを抑制することができ、表示装置が高品質な映像を表示することができる。
【発明を実施するための最良の形態】
【００４２】
（実施の形態１）
以下、本発明をその実施の形態を示す図面に基づき具体的に説明する。図１は、本発明に係る表示装置の構成を示すブロック図である。図において１は、ＰＣ（パーソナルコンピュータ）９９などの外部機器から入力された映像信号又は映像データ等に応じて表示パネル２に映像の表示を行う表示装置である。表示装置１は、表示パネル２の他に、蛍光管３、映像表示処理部４、操作部５、入力部６及び駆動回路１０等を備えている。
【００４３】
表示パネル２は、例えば外部電界で制御可能な厚さ数μｍの液晶層の複屈折性を利用した光透過型の液晶デバイスによる液晶パネルなどであり、表示パネル２自身は発光機能を有していない。このため、表示パネル２の背面にはバックライトとして一又は複数の蛍光管３が配設してあり、蛍光管３から照射される光により表示パネル２が映像の表示を行うようにしてある。また、表示パネル２は、映像表示処理部４から与えられるＲＧＢ信号、垂直同期信号及び水平同期信号等の各種の映像信号に基づいて液晶による各画素の透光率を制御することによって、映像の表示を行うようにしてある。
【００４４】
蛍光管３は、例えばＣＣＦＬなどであり、駆動回路１０から与えられる駆動電圧により点灯し、表示パネル２の背面へ光を照射するようにしてある。駆動回路１０は、映像表示処理部４から与えられる点灯命令に従って蛍光管３の点灯を行うようにしてあると共に、映像表示処理部４から与えられる明るさ設定などに応じて蛍光管３の明るさを調整するようにしてある。更に、本発明の駆動回路１０は、映像表示処理部４から表示パネル２への垂直同期信号が与えられており、垂直同期信号に同期した蛍光管３の点灯を行うようにしてある。
【００４５】
操作部５は、表示装置１の筐体の前面又は側面等に設けられた複数のボタン又はスイッチ等により構成されている。また、表示装置１がリモートコントローラを備える場合には、操作部５はこのリモートコントローラと赤外線信号の受信回路とで構成されていてもよい。ユーザは操作部５のボタン又はスイッチ等を操作することによって、表示パネル２に表示する映像の明るさ及び色合い等の表示設定の変更を行うことができるようにしてあり、操作部５はユーザの操作内容を映像表示処理部４へ通知するようにしてある。
【００４６】
入力部６は、ＰＣ９９又はハードディスクレコーダ等の外部機器にケーブルを介して接続される入力端子を有しており、外部機器から与えられた映像信号又は映像データを映像表示処理部４へ与えるようにしてある。また、表示装置１は入力部６に代えて、公共のテレビジョン放送に係る電波を受信するテレビチューナなどを備える構成であってもよく、この場合にはテレビチューナが受信した映像信号又は映像データを映像表示処理部４へ与える構成とすればよい。もちろん、表示装置１が入力部６とテレビチューナとの両方を備える構成であってもよい。
【００４７】
映像表示処理部４は、入力部６から与えられた映像信号又は映像データを表示パネル２の表示に適した信号に変換する信号処理、及び表示装置１の表示に係るハードウェアの制御等を行うものである。例えば、映像表示処理部４は、入力部６から与えられた映像信号又は映像データをＲＧＢ信号、垂直同期信号及び水平同期信号等の表示パネル２の表示に必要な各種の映像信号に変換し、表示パネル２へ与えるようにしてある。また、映像表示処理部４は、操作部５がユーザにより操作された場合に、この操作により変更された表示設定を表示パネル２及び駆動回路１０等へ通知し、変更された表示設定に応じた映像表示を行うようにしてある。例えば、映像表示処理部４は、色合いなどの設定が変更された場合には表示パネル２へ変更された設定を通知して色合いなどの変更を行い、明るさなどの設定が変更された場合には駆動回路１０へ変更された設定を通して蛍光管３の発光量を変更するようにしてある。
【００４８】
また、本発明に係る表示装置においては、映像表示処理部４は表示パネル２へ垂直同期信号を与える場合に、蛍光管３の駆動回路１０へも同じ垂直同期信号を与えるようにしてある。駆動回路１０は、映像表示処理部４から与えられる垂直同期信号に同期した正弦波の駆動電圧を蛍光管３へ出力して蛍光管３を駆動し、蛍光管３を点灯するようにしてある。
【００４９】
図２は、本発明の実施の形態１に係る駆動回路１０の構成を示す回路図である。また、図３は、本発明の実施の形態１に係る駆動回路１０の動作を説明するための模式図であり、駆動回路１０を構成する各回路の出力信号を図示してある。蛍光管３への駆動電圧を出力する駆動回路１０は、ＰＬＬ（Phase Locked Loop）回路１２、カウンタ１３、データ列読出回路１４、制御信号生成回路１５、ドライバ１６、スイッチング回路１７、変圧器Ｔ１、フィルタをなすコイルＬ１及びコンデンサＣ１、蛍光管３の管電流を検出する検出回路１８及びこれらの各回路の制御を行う駆動制御部１１等を備えている。
【００５０】
ＰＬＬ回路１２は、入力信号に同期して、入力信号の整数倍の周波数の出力信号を生成する回路である。駆動回路１０のＰＬＬ回路１２は、表示装置１の映像表示処理部４から垂直同期信号（図３（ａ）参照）が与えられており、垂直同期信号の整数倍（例えば数十倍〜数百倍）の第１クロック信号（図３（ｂ）参照）を生成してカウンタ１３及び制御信号生成回路１５へ与えるようにしてある。
【００５１】
カウンタ１３は、ＰＬＬ回路１２から与えられる第１クロック信号に応じてカウントアップを行い、カウント値が所定値に達した場合にデータ列読出回路１４へ通知を行う、又は出力信号の論理を判定させる回路である。即ち、ＰＬＬ回路１２が出力した第１クロック信号の周波数を整数分の１とした第２クロック信号（図３（ｃ）参照）をカウンタ１３にて生成し、この第２クロック信号をデータ列読出回路１４へ与えることができる。
【００５２】
データ列読出回路１４は、図示しないマスクＲＯＭ（Read Only Memory）又はＥＥＰＲＯＭ（Electrically Erasable Programmable ROM）等のメモリを有しており、正弦波信号をパルス幅変調した場合に得られるパルス信号（以下、ＰＷＭ（Pulse Width Modulation）信号という）の各パルスのデューティ比をメモリにデータ列として予め複数記憶してある。図３（ｄ）に示す例では、正弦波信号の１周期をＰＷＭ信号の８つのパルスで表した場合であり（ただし、実際には数十〜数百のパルスが必要であるが、簡略化して示してある）、データ列読出回路１４のメモリには６０％、８０％、７０％…等の１周期分（図３の例では８つ）のデータを一組のデータ列として、複数のデータ列が記憶してある。データ列読出回路１４は、駆動制御部１１から与えられる指示に従って、メモリに記憶された複数のデータ列から一のデータ列を読み出し、第２クロック信号の例えば立ち上りエッジに同期してデータ列を制御信号生成回路１５へ与えるようにしてある。
【００５３】
制御信号生成回路１５には、ＰＬＬ回路１２から第１クロック信号が与えられると共に、データ列読出回路１４からデータ列が与えられている。制御信号生成回路１５は、与えられたデータ列の各データに従って、指定されたデューティ比のパルスを順次生成し、生成した複数のパルスで構成されるＰＷＭ信号（図３（ｅ）参照）を制御信号としてドライバ１６へ出力するようにしてある。
【００５４】
スイッチング回路１７は、２つのＰ型のトランジスタＱ１及びＱ３と、２つのＮ型のトランジスタＱ２及びＱ４とで構成されるブリッジ回路である。詳しくは、トランジスタＱ１及びＱ３のソースが電源Ｅ１の正側端子に接続され、トランジスタＱ１のドレインがトランジスタＱ２のドレインに接続されると共にトランジスタＱ３のドレインがトランジスタＱ４のドレインに接続され、トランジスタＱ２及びＱ４のソースが接地電位に接続されている。トランジスタＱ１及びＱ２のドレインには変圧器Ｔ１の１次側巻線Ｔ１１の一端が接続され、トランジスタＱ３及びＱ４のドレインにはコイルＬ１を介して変圧器Ｔ１の１次側巻線Ｔ１１の他端が接続されている。トランジスタＱ１〜Ｑ４のゲートは、それぞれドライバ１６に接続されている。
【００５５】
スイッチング回路１７にて、トランジスタＱ１及びＱ４をオンし、トランジスタＱ２及びＱ３をオフした場合、電源Ｅ１からトランジスタＱ１を通って変圧器Ｔ１の１次側巻線Ｔ１１へ電流が流れ、１次巻線Ｔ１１からトランジスタＱ４を通して接地電位へ電流が流れる。また、トランジスタＱ１及びＱ４をオフし、トランジスタＱ２及びＱ３をオンした場合、電源Ｅ１からトランジスタＱ３を通って変圧器Ｔ１の１次側巻線Ｔ１１へ電流が流れ、１次巻線Ｔ１１からトランジスタＱ２を通して接地電位へ電流が流れる。即ち、トランジスタＱ１及びＱ４をオンする場合と、トランジスタＱ２及びＱ３をオンする場合とでは、変圧器Ｔ１の１次巻線Ｔ１１に印加される電圧の印加方向が逆になるようにしてある。換言すれば、スイッチング回路１７は、電源Ｅ１からの直流電圧を交流電圧に変換するインバータ回路である。
【００５６】
ドライバ１６は、制御信号生成回路１５から与えられた制御信号に応じて、スイッチング回路１７による切り替えを行う回路である。例えばドライバ１６は、与えられた制御信号が”Ｈ”のときに、スイッチング回路１７のトランジスタＱ１及びＱ４をオンしてトランジスタＱ２及びＱ３をオフし、与えられた制御信号が”Ｌ”のときに、スイッチング回路１７のトランジスタＱ２及びＱ３をオンしてトランジスタＱ１及びＱ４をオフするようにしてある。
【００５７】
変圧器Ｔ１の２次側巻線Ｔ１２の一端には蛍光管３の一端が接続してあり、他端は接地電位に接続してある。また、２次側巻線Ｔ１２の両端間にはコンデンサＣ１が接続してある。変圧器Ｔ１の１次側巻線Ｔ１１に印加された交流電圧は、１次側巻線Ｔ１１及び２次側巻線Ｔ１２の巻き数に応じた電圧値に昇圧され、駆動電圧として蛍光管３に印加される。このとき、コイルＬ１及びコンデンサＣ１はフィルタをなし、所望の正弦波信号の周波数を透過し、これより高い周波数をカットするように予めインダクタンス及び容量値が定められている。これにより、駆動制御部１１で設定された正弦波信号が復元され、所望の周波数の駆動電圧が蛍光管３に印加される。
【００５８】
蛍光管３の他端は、検出回路１８を介して接地電位に接続してある。検出回路１８は、２つのダイオードＤ１及びＤ２と抵抗Ｒ１とで構成されている。ダイオードＤ１のアノードは蛍光管３の他端に接続してあり、カソードは抵抗Ｒ１を介して接地電位に接続してある。また、ダイオードＤ２のアノードは接地電位に接続してあり、カソードは蛍光管３の他端に接続してある。駆動電圧が印加された蛍光管３は発光し、これに伴って管電流が検出回路１８へ流れる。この管電流は検出回路１８のダイオードＤ１から抵抗Ｒ１を通って接地電位へ流れる。また、ダイオードＤ２は保護用のダイオードである。検出回路１８では、ダイオードＤ１と抵抗Ｒ１との間の電圧、即ち管電流により抵抗Ｒ１に加わる電圧を管電流の検出結果として駆動制御部１１へ出力するようにしてある。
【００５９】
駆動制御部１１は、検出回路１８により検出された電圧をデジタル値に変換するＡ／Ｄ変換回路（図示は省略する）を内部に備えている。駆動制御部１１は、表示装置１の映像表示処理部４から明るさの設定などの設定情報が与えられており、与えられた設定情報と検出回路１８にて検出された管電流とに応じて、データ列読出回路１４へいずれのデータ列をメモリから読み出すかの指示を与えるようにしてある。
【００６０】
図４は、データ列読出回路１４のメモリに記憶されたデータ列の一例を示す模式図である。データ列読出回路１４のメモリには、ＰＷＭ信号の各パルスのデューティ比に係るデータの正弦波信号の１周期分を１組のデータ列として、複数のデータ列が記憶してある。図４には、データ列（ａ）から（ｃ）へ正弦波信号の振幅が順に大きくなる３つのデータ列が示してある。データ列読出回路１４のメモリには、このように振幅が徐々に大きく（又は小さく）なるように順にデータ列が記憶してあり、データ列読出回路１４は駆動制御部１１から与えられる指示に応じた一のデータ列を読み出して出力するようにしてある。
【００６１】
図５は、本発明の実施の形態１に係る駆動回路１０が行う蛍光管３の駆動処理の手順を示すフローチャートであり、駆動回路１０の駆動制御部１１が行う処理である。まず駆動制御部１１は、ＰＬＬ回路１２の始動などの各種の始動処理を行う（ステップＳ１）。始動処理の終了後、駆動制御部１１は、映像処理制御部４から与えられる設定情報を取得し（ステップＳ２）、設定に応じた明るさで蛍光管３を点灯する駆動電圧を印加できるように、データ列読出回路１４にて読み出すデータ列を決定して（ステップＳ３）、データ列読出回路１４に指示を与えることにより、所望の明るさでの蛍光管３の点灯を行う。
【００６２】
次いで駆動制御部１１は、映像処理制御部４から蛍光管３の駆動の停止指示が与えられたか否かを調べる（ステップＳ４）。停止指示が与えられていない場合（Ｓ４：ＮＯ）、駆動制御部１１は、検出回路１８にて検出される管電流の電流値（実際には、ダイオードＤ１及び抵抗Ｒ１の間の電圧をＡ／Ｄ変換した値）を取得して（ステップＳ５）、所望の明るさに応じた管電流の目標値と検出した管電流値とを比較して、蛍光管３の管電流が目標値であるか否かを調べる（ステップＳ６）。検出した管電流が目標値の場合には（Ｓ６：ＹＥＳ）、駆動制御部１１はステップＳ４へ戻る。
【００６３】
検出した管電流が目標値でない場合（Ｓ６：ＮＯ）、更に駆動制御部１１は、管電流が目標値より少ないか否かを調べる（ステップＳ７）。管電流が目標値より少ない場合（Ｓ７：ＹＥＳ）、駆動制御部１１は、データ列読出回路１４にて読み出すデータ列を、駆動電圧の振幅を１段階増加させるデータ列に変更し（ステップＳ８）、ステップＳ４へ戻る。管電流が目標値より多い場合（Ｓ７：ＮＯ）、駆動制御部１１は、データ列読出回路１４にて読み出すデータ列を、駆動電圧の振幅を１段階減少させるデータ列に変更し（ステップＳ９）、ステップＳ４へ戻る。
【００６４】
その後、駆動制御部１１は、ステップＳ４からＳ９までの処理を繰り返し行い、ステップＳ４にて映像処理制御部４から蛍光管３の駆動の停止指示が与えられた場合（Ｓ４：ＹＥＳ）、ＰＬＬ回路１２の停止などの各種の停止処理を行って（ステップＳ１０）、駆動処理を終了する。
【００６５】
以上の構成の表示装置１においては、駆動回路１０の変圧器Ｔ１の２次側巻線Ｔ１２に蛍光管３を接続し、スイッチング回路１７を変圧器Ｔ１の１次側巻線Ｔ１１に接続し、制御信号生成回路１５にて生成された制御信号（ＰＷＭ信号）によりドライバ１６がスイッチング回路１７による切り替えを行って正弦波の駆動電圧を発生させる構成とすることにより、変圧器Ｔ１の１次側及び２次側に共振回路を備えることなく正弦波の駆動電圧を発生させることができるため、蛍光管３の浮遊容量に影響されることなく駆動回路１０は蛍光管３の駆動を行うことができる。よって、蛍光管３の大型化を容易に行うことができ、表示装置１の表示パネル２の大型化を容易に行うことができる。
【００６６】
また、表示装置１の映像表示処理部４が表示パネル２へ与える垂直同期信号を駆動回路１０にも与え、駆動回路１０が垂直同期信号に同期した制御信号（ＰＷＭ信号）を生成する構成とすることにより、駆動回路１０が垂直同期信号に応じた駆動電圧を生成することができ、表示パネル２の表示に応じた蛍光管３の駆動を行うことができるため、ビートノイズの発生を抑制することができ、表示パネル２の表示品質を向上することができる。
【００６７】
また、データ列読出回路１４が有するメモリに、ＰＷＭ信号のデューティ比に係る複数のデータをデータ列として予め記憶しておき、このデータ列を基に制御信号生成回路１５がＰＷＭ信号の制御信号を生成する構成とすることにより、通常はＰＷＭ信号の生成に必要な正弦波信号及び三角波信号等の発生回路を駆動回路１０が備える必要がなく、簡単にＰＷＭ信号を生成することができるため、駆動回路１０の小型化及び低コスト化に寄与することができる。また、データ列読出回路１４のメモリのデータを書き換えるのみで駆動回路１０の特性を変更することができるため、駆動回路１０の汎用性を向上することができる。
【００６８】
また、データ列読出回路１４には複数のデータ列を予め記憶しておき、駆動制御部１１からの指示に応じてデータ読出回路１４が一のデータ列を読み出して制御信号生成回路１５へ与える構成とすることにより、蛍光管３へ印加する駆動電圧の振幅などを動的に容易に変更することができる。また、蛍光管３の管電流を検出回路１８にて検出し、検出結果に応じて駆動制御部１１がデータ列読出回路１４に指示を与えて読み出すデータ列を変更する構成とすることにより、蛍光管３の点灯状態をフィードバックして駆動電圧を調整することができるため、蛍光管３を所望の明るさで精度よく点灯することができる。よって、蛍光管３の特性のバラツキ又は温度変化による蛍光管３の特性変化等が生じた場合であっても、適切な駆動電圧で蛍光管３を駆動することができるため、表示パネル２の表示品質をより確実に向上することができる。
【００６９】
また、映像表示処理部４から与えられた垂直同期信号の整数倍の周波数を有する第１クロック信号をＰＬＬ回路１２にて生成し、第１クロック信号の整数分の１の周波数を有する第２クロック信号をカウンタ１３にて生成し、第２クロック信号に応じてデータ列読出回路１４がデータ列を読み出して制御信号生成回路１５へ与え、制御信号生成回路１５が第１クロック信号に応じてデータ列からＰＷＭ信号の制御信号を生成する構成とすることにより、垂直同期信号に同期した正弦波の駆動電圧で蛍光管３を駆動することができるため、表示パネル２の映像表示にビートノイズが発生することを抑制でき、表示装置１の表示品質を向上することができる。
【００７０】
また、駆動回路１０の変圧器Ｔ１の１次側にコイルＬ１を設け、２次側にコンデンサＣ１を設けてフィルタとし、所定周波数の電圧のみを透過する構成とすることにより、駆動電圧から高周波成分を除去することができ、所望の周波数の正弦波電圧を蛍光管３へ印加することができる。
【００７１】
なお、本実施の形態においては、蛍光管３を正弦波の駆動電圧で駆動する構成としたが、これに限るものではなく、その他の波形の駆動電圧で蛍光管３を駆動する構成としてもよい。この場合、データ列読出回路１４が有するメモリのデータを適宜に変更するのみで、様々な波形の駆動電圧を生成して蛍光管３に印加することができる。また、データ列読出回路１４のメモリには、ＰＷＭ信号の各パルスのデューティ比をデータとして記憶しておく構成としたが、これに限るものではなく、ＰＷＭ信号のパルスを発生させることが可能なその他のデータを記憶しておく構成としてもよい。例えば、ＰＷＭ信号の各パルスに対応する”０”又は”１”のデータの羅列を記憶しておく構成とすることができる。
【００７２】
図６は、駆動回路１０にて発生することが可能な駆動電圧の波形例を示す模式図である。本発明の駆動回路１０では、データ列読出回路１４のメモリに記憶するデータに応じて制御信号を変化させることができ、種々の波形の駆動電圧を生成して蛍光管３に印加することができる。例えば、図６（ａ）に示す基本的な正弦波に対して、制御信号のデューティ比を変更することで正弦波の振幅を増減することができる（図６（ｂ）参照）。
【００７３】
また、制御信号の繰り返しパターンの周期を変更することで正弦波の周期を変更することができる（図６（ｃ）参照）。制御信号のパターンによっては正弦波以外の波形の駆動電圧を発生することもできる（図６（ｄ）参照）。更には、制御信号の出力期間に偏りを持たせることによって、正弦波の発生タイミングの調整（図６（ｅ）参照）、又は正弦波の発生期間の調整（図６（ｆ）参照）等を行うこともできる（これらは所謂ＰＷＭ調光又はバースト調光である）。なお、データ列読出回路１４のメモリに記憶するデータは、図６に示す波形の駆動電圧を発生させるパターンのものに限らず、その他の波形の駆動電圧を発生させるものであってもよい。
【００７４】
また、図２に示したスイッチング回路１７は、４つのトランジスタＱ１〜Ｑ４を用いたフルブリッジの回路構成であるが、これに限るものではなく、その他の構成であってもよい。また、ドライバ１６によるスイッチング回路１７の制御方法についても、本実施の形態のものに限定しない。また、蛍光管３の管電流を検出する検出回路の構成についても同様に、図２に示す回路構成に限るものではない。また、所定周波数の正弦波の駆動電圧のみを蛍光管３に印加するために、フィルタとして変圧器Ｔ１の１次側にコイルＬ１を設け、２次側にコンデンサＣ１を設ける構成としたが、これに限るものではなく、その他の構成のフィルタを変圧器Ｔ１の１次側及び／又は２次側に設ける構成であってもよい。例えば、図２に示す回路において、変圧器Ｔ１１の１次側にコイルＬ１を設けず、変圧器Ｔ１の１次側巻線Ｔ１１及び２次側巻線Ｔ１２の結合度（１次側巻線Ｔ１１から２次側巻線Ｔ１２へ誘導される磁束の割合、及び巻線の構造等により決定される）を低下させて帯域制限することによっても、図２の回路と同様のフィルタ効果を得ることができる。
【００７５】
（実施の形態２）
図７は、本発明の実施の形態２に係る駆動回路３１０の構成を示す回路図である。実施の形態１に係る駆動回路１０は、ＰＬＬ回路１２、カウンタ１３、データ列読出回路１４及び制御信号生成回路１５によりＰＷＭ信号（制御信号）を生成する構成であるが、実施の形態２に係る駆動回路３１０は、これらに代えて、正弦波発生回路３１２、振幅調整回路３１３、三角波発生回路３１４及び制御信号生成回路３１５によりＰＷＭ信号（制御信号）を生成する構成である。
【００７６】
正弦波発生回路３１２は、表示装置１の映像表示処理部４から垂直同期信号が与えられている。正弦波発生回路３１２は、与えられた垂直同期信号に同期して、垂直同期信号の周波数の整数倍の周波数を有する正弦波を生成して振幅調整回路３１３へ出力するようにしてある。振幅調整回路３１３は、駆動制御部３１１からの指示に従って、正弦波発生回路３１２から与えられた正弦波の振幅を増幅して調整し、制御信号生成回路３１５へ出力するようにしてある。三角波発生回路３１４は、正弦波発生回路３１２が出力する正弦波の周波数より高周波の三角波を生成し、制御信号生成回路３１５へ出力するようにしてある。
【００７７】
制御信号生成回路３１５は、振幅調整回路３１３から与えられた正弦波と、三角波発生回路３１４から与えられた三角波とを比較する比較器を有しており、正弦波及び三角波の比較結果を制御信号としてドライバ１６へ出力するようにしてある。図８は、本発明の実施の形態２に係る駆動回路３１０の制御信号生成回路３１５による制御信号の生成方法を説明するための模式図である。図８には、振幅調整回路３１３からの正弦波（ａ）と、三角波発生回路３１４からの三角波（ｂ）が重ねて図示してある。制御信号生成回路３は、比較器により正弦波（ａ）と三角波（ｂ）との電圧値を比較し、正弦波（ａ）の電圧値が大きい場合に制御信号として”Ｈ”を出力し、三角波（ｂ）の電圧値が大きい場合に制御信号として”Ｌ”を出力するようにしてある（図８（ｃ）参照）。このようにして生成された制御信号はドライバ１６に与えられ、ドライバ１６がスイッチング回路１７の各トランジスタＱ１〜Ｑ４のオン／オフを切り替えることによって変圧器Ｔ１の１次側巻線Ｔ１１に正弦波が発生し、変圧器Ｔ１により昇圧され、昇圧された正弦波が駆動電圧として蛍光管３に印加される。ドライバ１６以降の各回路の構成及び動作については、実施の形態１の駆動回路１０と同じであるので、詳細な説明は省略する。
【００７８】
蛍光管３に駆動電圧が印加された場合、検出回路１８にて管電流が検出されて、検出結果が駆動制御部３１１へ与えられる。また、駆動制御部３１１には表示装置１の映像表示処理部４から明るさなどの設定情報が与えられている。駆動制御部３１１は、与えられた設定情報と管電流の検出結果とを基に、振幅調整回路３１３による正弦波の振幅の増幅率を制御するようにしてある。また、映像表示処理部４から蛍光管３の消灯指示が与えられた場合には正弦波発生回路３１２の動作を停止し、点灯指示が与えられた場合には正弦波発生回路３１２の動作を開始するように、駆動制御部３１１は正弦波発生回路３１２の動作を制御するようにしてある。
【００７９】
以上の構成の実施の形態２に係る駆動回路３１０は、実施の形態１に係る駆動回路１０と同様に、表示装置１の映像表示処理部４から与えられる垂直同期信号に同期した駆動電圧で蛍光管３の駆動を行うことができると共に、蛍光管３の管電流に応じて駆動電圧を調整することができる。よって、実施の形態２に係る駆動回路３１０は、実施の形態１に係る駆動回路１０と同様の効果を有しており、蛍光管３の浮遊容量に影響されることなく蛍光管３の駆動を行うことができ、ビートノイズの発生を抑制して表示パネル２の表示品質を向上することができる。なお、実施の形態２の駆動回路３１０においては、正弦波発生回路３１２にて発生した正弦波信号の特性として振幅を振幅調整回路３１３にて調整する構成としたが、これに限るものではなく、正弦波発生回路３１２にて発生した正弦波信号の周波数、波形、信号の発生タイミング及び／又は信号の発生期間等の他の特性を調整する回路を駆動回路３１０が更に備える構成としてもよい。
【００８０】
なお、実施の形態２に係る駆動回路３１０のその他の構成は、実施の形態１に係る駆動回路１０の構成と同様であるため、対応する箇所には同じ符号を付して説明を省略する。
【図面の簡単な説明】
【００８１】
【図１】本発明に係る表示装置の構成を示すブロック図である。
【図２】本発明の実施の形態１に係る駆動回路の構成を示す回路図である。
【図３】本発明の実施の形態１に係る駆動回路の動作を説明するための模式図である。
【図４】データ列読出回路のメモリに記憶されたデータ列の一例を示す模式図である。
【図５】本発明の実施の形態１に係る駆動回路が行う蛍光管の駆動処理の手順を示すフローチャートである。
【図６】駆動回路にて発生することが可能な駆動電圧の波形例を示す模式図である。
【図７】本発明の実施の形態２に係る駆動回路の構成を示す回路図である。
【図８】本発明の実施の形態２に係る駆動回路の制御信号生成回路による制御信号の生成方法を説明するための模式図である。
【図９】従来の駆動回路の一例を示す回路図である。
【図１０】従来の駆動回路の他の例を示す回路図である。
【符号の説明】
【００８２】
１  表示装置
２  表示パネル
３  蛍光管
４  映像表示処理部
５  操作部
６  入力部
１０  駆動回路（駆動装置）
１１  駆動制御部（制御信号出力手段）
１２  ＰＬＬ回路（制御信号出力手段、第１基準信号生成手段）
１３  カウンタ（制御信号出力手段、第２基準信号生成手段）
１４  データ列読出回路（制御信号出力手段、記憶手段）
１５  制御信号生成回路（制御信号出力手段、制御信号生成手段）
１６  ドライバ
１７  スイッチング回路（スイッチング手段、インバータ回路）
１８  検出回路
３１０  駆動回路（駆動装置）
３１１  駆動制御部（制御信号出力手段）
３１２  正弦波発生回路（制御信号出力手段、正弦波信号生成手段）
３１３  振幅調整回路（制御信号出力手段、調整手段）
３１４  三角波発生回路（制御信号出力手段）
３１５  制御信号生成回路（制御信号出力手段、制御信号生成手段）
Ｃ１  コンデンサ（フィルタ手段）
Ｄ１、Ｄ２  ダイオード
Ｅ１  電源
Ｌ１  コイル（フィルタ手段）
Ｑ１〜Ｑ４  トランジスタ
Ｒ１  抵抗
Ｔ１  変圧器
Ｔ１１  １次側巻線
Ｔ１２  ２次側巻線
【図１】
0004902872.tif 000002
【図２】
0004902872.tif 000003
【図３】
0004902872.tif 000004
【図４】
0004902872.tif 000005
【図５】
0004902872.tif 000006
【図６】
0004902872.tif 000007
【図７】
0004902872.tif 000008
【図８】
0004902872.tif 000009
【図９】
0004902872.tif 000010
【図１０】
0004902872.tif 000011